(57)【要約】【課題】複数の送信局が連携したＭＩＭＯ送信を行う無線通信システムにおいて、同一送信局における送信アンテナ間の相関を調整すること、及び、受信局における送信局間の受信電力差を調整すること、を可能とする。【解決手段】基地局制御装置４０は基地局１０，２０に対して送信データを共通に供給する。基地局１０，２０は、同一送信局における送信アンテナ間の相関を調整するための第１の回転角θ２と、受信局における送信局間の受信電力差を調整するための第２の回転角θ４とを調整パラメータとして有する回転直交符号によって送信データを拡散多重することにより、基地局１０，２０の送信アンテナの総数分の拡散多重信号を算出し、自局分の拡散多重信号を各送信アンテナに分けて同時に同じ周波数で送信する。【選択図】図１
2010219662.tif 000002
【特許請求の範囲】
【請求項１】
複数の送信アンテナを有する複数の送信局が連携したＭＩＭＯ送信を行う無線通信システムにおいて、
前記複数の送信局に対して送信データを共通に供給する送信データ供給装置を備え、
前記送信局は、
同一送信局における送信アンテナ間の相関を調整するための第１の回転角と、受信局における送信局間の受信電力差を調整するための第２の回転角とを調整パラメータとして有する回転直交符号によって前記送信データを拡散多重することにより、前記複数の送信局の送信アンテナの総数分の拡散多重信号を算出する回転直交符号拡散多重手段と、
自局分の前記拡散多重信号を各送信アンテナに分けて同時に同じ周波数で送信する無線送信手段と、を有する、
ことを特徴とする無線通信システム。
【請求項２】
同一送信局における送信アンテナ間の周波数応答の候補の各各に対応した前記第１の回転角を格納する第１の回転角データ記憶手段と、
受信局で測定された第１の回転角決定対象の送信局に関する送信アンテナ間の周波数応答に基づいて、前記第１の回転角データ記憶手段から第１の回転角を取得する第１の回転角決定手段と、
前記第１の回転角決定手段で決定された第１の回転角を当該第１の回転角決定対象の送信局へ送信する送信手段と、
を有する第１の回転角制御装置をさらに備えたことを特徴とする請求項１に記載の無線通信システム。
【請求項３】
同一送信局における送信アンテナ間の距離と変調方式と符号化率の組合せの候補の各各に対応した前記第１の回転角を格納する第１の回転角データ記憶手段と、
第１の回転角決定対象の送信局に関する送信アンテナ間の距離と変調方式と符号化率に基づいて、前記第１の回転角データ記憶手段から第１の回転角を取得する第１の回転角決定手段と、
前記第１の回転角決定手段で決定された第１の回転角を当該第１の回転角決定対象の送信局へ送信する送信手段と、
を有する第１の回転角制御装置をさらに備えたことを特徴とする請求項１に記載の無線通信システム。
【請求項４】
受信局における送信局間の受信電力差の候補の各各に対応した前記第２の回転角を格納する第２の回転角データ記憶手段と、
受信局で測定された送信局間の受信電力差に基づいて、前記第２の回転角データ記憶手段から第２の回転角を取得する第２の回転角決定手段と、
前記第２の回転角決定手段で決定された第２の回転角を前記複数の送信局へ送信する送信手段と、
を有する第２の回転角制御装置をさらに備えたことを特徴とする請求項１に記載の無線通信システム。
【請求項５】
受信局の位置の候補の各各に対応した前記第２の回転角を格納する第２の回転角データ記憶手段と、
受信局の位置に基づいて、前記第２の回転角データ記憶手段から第２の回転角を取得する第２の回転角決定手段と、
前記第２の回転角決定手段で決定された第２の回転角を前記複数の送信局へ送信する送信手段と、
を有する第２の回転角制御装置をさらに備えたことを特徴とする請求項１に記載の無線通信システム。
【請求項６】
複数の送信アンテナを有する複数の送信局が連携したＭＩＭＯ送信を行う無線通信システムにおける、前記送信局において、
同一送信局における送信アンテナ間の相関を調整するための第１の回転角と、受信局における送信局間の受信電力差を調整するための第２の回転角とを調整パラメータとして有する回転直交符号によって、前記複数の送信局に対して共通に供給された送信データを拡散多重することにより、前記複数の送信局の送信アンテナの総数分の拡散多重信号を算出する回転直交符号拡散多重手段と、
自局分の前記拡散多重信号を各送信アンテナに分けて同時に同じ周波数で送信する無線送信手段と、を有する、
ことを特徴とする送信局。
【請求項７】
複数の送信アンテナを有する複数の送信局が連携したＭＩＭＯ送信を行う無線通信システムの前記送信局で使用される、
同一送信局における送信アンテナ間の相関を調整するための第１の回転角と、受信局における送信局間の受信電力差を調整するための第２の回転角とを調整パラメータとして有する回転直交符号、
に係る前記第１の回転角の制御装置であり、
同一送信局における送信アンテナ間の周波数応答の候補の各各に対応した前記第１の回転角を格納する第１の回転角データ記憶手段と、
受信局で測定された第１の回転角決定対象の送信局に関する送信アンテナ間の周波数応答に基づいて、前記第１の回転角データ記憶手段から第１の回転角を取得する第１の回転角決定手段と、
前記第１の回転角決定手段で決定された第１の回転角を当該第１の回転角決定対象の送信局へ送信する送信手段と、
を備えたことを特徴とする回転角制御装置。
【請求項８】
複数の送信アンテナを有する複数の送信局が連携したＭＩＭＯ送信を行う無線通信システムの前記送信局で使用される、
同一送信局における送信アンテナ間の相関を調整するための第１の回転角と、受信局における送信局間の受信電力差を調整するための第２の回転角とを調整パラメータとして有する回転直交符号、
に係る前記第１の回転角の制御装置であり、
同一送信局における送信アンテナ間の距離と変調方式と符号化率の組合せの候補の各各に対応した前記第１の回転角を格納する第１の回転角データ記憶手段と、
第１の回転角決定対象の送信局に関する送信アンテナ間の距離と変調方式と符号化率に基づいて、前記第１の回転角データ記憶手段から第１の回転角を取得する第１の回転角決定手段と、
前記第１の回転角決定手段で決定された第１の回転角を当該第１の回転角決定対象の送信局へ送信する送信手段と、
を備えたことを特徴とする回転角制御装置。
【請求項９】
複数の送信アンテナを有する複数の送信局が連携したＭＩＭＯ送信を行う無線通信システムの前記送信局で使用される、
同一送信局における送信アンテナ間の相関を調整するための第１の回転角と、受信局における送信局間の受信電力差を調整するための第２の回転角とを調整パラメータとして有する回転直交符号、
に係る前記第２の回転角の制御装置であり、
受信局における送信局間の受信電力差の候補の各各に対応した前記第２の回転角を格納する第２の回転角データ記憶手段と、
受信局で測定された送信局間の受信電力差に基づいて、前記第２の回転角データ記憶手段から第２の回転角を取得する第２の回転角決定手段と、
前記第２の回転角決定手段で決定された第２の回転角を前記複数の送信局へ送信する送信手段と、
を備えたことを特徴とする回転角制御装置。
【請求項１０】
複数の送信アンテナを有する複数の送信局が連携したＭＩＭＯ送信を行う無線通信システムの前記送信局で使用される、
同一送信局における送信アンテナ間の相関を調整するための第１の回転角と、受信局における送信局間の受信電力差を調整するための第２の回転角とを調整パラメータとして有する回転直交符号、
に係る前記第２の回転角の制御装置であり、
受信局の位置の候補の各各に対応した前記第２の回転角を格納する第２の回転角データ記憶手段と、
受信局の位置に基づいて、前記第２の回転角データ記憶手段から第２の回転角を取得する第２の回転角決定手段と、
前記第２の回転角決定手段で決定された第２の回転角を前記複数の送信局へ送信する送信手段と、
を備えたことを特徴とする回転角制御装置。
【発明の詳細な説明】
【技術分野】
【０００１】
本発明は、伝送路マルチ化（Multiple Input Multiple Output：ＭＩＭＯ）技術を用いた無線通信システム、送信局及び回転角制御装置に関する。
【背景技術】
【０００２】
従来、複数の基地局が連携したＭＩＭＯ送信を行う無線通信システムが知られている（例えば、非特許文献１参照）。ＭＩＭＯ送信の方式としては、空間多重（Spatial Multiplexing：ＳＭ）方式と時空間符号化（Space Time Coding：ＳＴＣ）方式が知られている。ＳＭ方式は、複数の送信アンテナから各各異なるデータを送信することで、通信速度を向上させるものであり、周波数利用効率重視の方式である。ＳＴＣ方式は、時間方向および空間方向に符号化を行うことで、信号対雑音電力比（ＳＮＲ）を低減させるものであり、通信品質重視の方式である。
【先行技術文献】
【非特許文献】
【０００３】
【非特許文献１】A.Benjebbour，M.Shirakabe，Y.Ohwatari，J.Hagiwara，T.Ohya，“Evaluation of user throughput for MU-MIMO coordinated wireless networks”，IEEE International Symposium on Personal，Indoor and Mobile Radio Communications 2008，Sep.2008
【発明の概要】
【発明が解決しようとする課題】
【０００４】
しかし、上述した従来の無線通信システムでは、以下に示す課題（１），（２）がある。
（１）同一基地局における送信アンテナ間の相関が高いと、通信特性が劣化する。
（２）移動局において基地局間の受信電力差が大きいと、通信特性が劣化する。
【０００５】
本発明は、このような事情を考慮してなされたもので、その目的は、複数の送信局が連携したＭＩＭＯ送信を行う無線通信システムにおいて、同一送信局における送信アンテナ間の相関を調整すること、及び、受信局における送信局間の受信電力差を調整すること、を可能とすることにある。
【課題を解決するための手段】
【０００６】
上記の課題を解決するために、本発明に係る無線通信システムは、複数の送信アンテナを有する複数の送信局が連携したＭＩＭＯ送信を行う無線通信システムにおいて、前記複数の送信局に対して送信データを共通に供給する送信データ供給装置を備え、前記送信局は、同一送信局における送信アンテナ間の相関を調整するための第１の回転角と、受信局における送信局間の受信電力差を調整するための第２の回転角とを調整パラメータとして有する回転直交符号によって前記送信データを拡散多重することにより、前記複数の送信局の送信アンテナの総数分の拡散多重信号を算出する回転直交符号拡散多重手段と、自局分の前記拡散多重信号を各送信アンテナに分けて同時に同じ周波数で送信する無線送信手段と、を有することを特徴とする。
【０００７】
本発明に係る無線通信システムにおいては、同一送信局における送信アンテナ間の周波数応答の候補の各各に対応した前記第１の回転角を格納する第１の回転角データ記憶手段と、受信局で測定された第１の回転角決定対象の送信局に関する送信アンテナ間の周波数応答に基づいて、前記第１の回転角データ記憶手段から第１の回転角を取得する第１の回転角決定手段と、前記第１の回転角決定手段で決定された第１の回転角を当該第１の回転角決定対象の送信局へ送信する送信手段と、を有する第１の回転角制御装置をさらに備えたことを特徴とする。
【０００８】
本発明に係る無線通信システムにおいては、同一送信局における送信アンテナ間の距離と変調方式と符号化率の組合せの候補の各各に対応した前記第１の回転角を格納する第１の回転角データ記憶手段と、第１の回転角決定対象の送信局に関する送信アンテナ間の距離と変調方式と符号化率に基づいて、前記第１の回転角データ記憶手段から第１の回転角を取得する第１の回転角決定手段と、前記第１の回転角決定手段で決定された第１の回転角を当該第１の回転角決定対象の送信局へ送信する送信手段と、を有する第１の回転角制御装置をさらに備えたことを特徴とする。
【０００９】
本発明に係る無線通信システムにおいては、受信局における送信局間の受信電力差の候補の各各に対応した前記第２の回転角を格納する第２の回転角データ記憶手段と、受信局で測定された送信局間の受信電力差に基づいて、前記第２の回転角データ記憶手段から第２の回転角を取得する第２の回転角決定手段と、前記第２の回転角決定手段で決定された第２の回転角を前記複数の送信局へ送信する送信手段と、を有する第２の回転角制御装置をさらに備えたことを特徴とする。
【００１０】
本発明に係る無線通信システムにおいては、受信局の位置の候補の各各に対応した前記第２の回転角を格納する第２の回転角データ記憶手段と、受信局の位置に基づいて、前記第２の回転角データ記憶手段から第２の回転角を取得する第２の回転角決定手段と、前記第２の回転角決定手段で決定された第２の回転角を前記複数の送信局へ送信する送信手段と、を有する第２の回転角制御装置をさらに備えたことを特徴とする。
【００１１】
本発明に係る送信局は、複数の送信アンテナを有する複数の送信局が連携したＭＩＭＯ送信を行う無線通信システムにおける、前記送信局において、同一送信局における送信アンテナ間の相関を調整するための第１の回転角と、受信局における送信局間の受信電力差を調整するための第２の回転角とを調整パラメータとして有する回転直交符号によって、前記複数の送信局に対して共通に供給された送信データを拡散多重することにより、前記複数の送信局の送信アンテナの総数分の拡散多重信号を算出する回転直交符号拡散多重手段と、自局分の前記拡散多重信号を各送信アンテナに分けて同時に同じ周波数で送信する無線送信手段と、を有することを特徴とする。
【００１２】
本発明に係る回転角制御装置は、複数の送信アンテナを有する複数の送信局が連携したＭＩＭＯ送信を行う無線通信システムの前記送信局で使用される、同一送信局における送信アンテナ間の相関を調整するための第１の回転角と、受信局における送信局間の受信電力差を調整するための第２の回転角とを調整パラメータとして有する回転直交符号、に係る前記第１の回転角の制御装置であり、同一送信局における送信アンテナ間の周波数応答の候補の各各に対応した前記第１の回転角を格納する第１の回転角データ記憶手段と、受信局で測定された第１の回転角決定対象の送信局に関する送信アンテナ間の周波数応答に基づいて、前記第１の回転角データ記憶手段から第１の回転角を取得する第１の回転角決定手段と、前記第１の回転角決定手段で決定された第１の回転角を当該第１の回転角決定対象の送信局へ送信する送信手段と、を備えたことを特徴とする。
【００１３】
本発明に係る回転角制御装置は、複数の送信アンテナを有する複数の送信局が連携したＭＩＭＯ送信を行う無線通信システムの前記送信局で使用される、同一送信局における送信アンテナ間の相関を調整するための第１の回転角と、受信局における送信局間の受信電力差を調整するための第２の回転角とを調整パラメータとして有する回転直交符号、に係る前記第１の回転角の制御装置であり、同一送信局における送信アンテナ間の距離と変調方式と符号化率の組合せの候補の各各に対応した前記第１の回転角を格納する第１の回転角データ記憶手段と、第１の回転角決定対象の送信局に関する送信アンテナ間の距離と変調方式と符号化率に基づいて、前記第１の回転角データ記憶手段から第１の回転角を取得する第１の回転角決定手段と、前記第１の回転角決定手段で決定された第１の回転角を当該第１の回転角決定対象の送信局へ送信する送信手段と、を備えたことを特徴とする。
【００１４】
本発明に係る回転角制御装置は、複数の送信アンテナを有する複数の送信局が連携したＭＩＭＯ送信を行う無線通信システムの前記送信局で使用される、同一送信局における送信アンテナ間の相関を調整するための第１の回転角と、受信局における送信局間の受信電力差を調整するための第２の回転角とを調整パラメータとして有する回転直交符号、に係る前記第２の回転角の制御装置であり、受信局における送信局間の受信電力差の候補の各各に対応した前記第２の回転角を格納する第２の回転角データ記憶手段と、受信局で測定された送信局間の受信電力差に基づいて、前記第２の回転角データ記憶手段から第２の回転角を取得する第２の回転角決定手段と、前記第２の回転角決定手段で決定された第２の回転角を前記複数の送信局へ送信する送信手段と、を備えたことを特徴とする。
【００１５】
本発明に係る回転角制御装置は、複数の送信アンテナを有する複数の送信局が連携したＭＩＭＯ送信を行う無線通信システムの前記送信局で使用される、同一送信局における送信アンテナ間の相関を調整するための第１の回転角と、受信局における送信局間の受信電力差を調整するための第２の回転角とを調整パラメータとして有する回転直交符号、に係る前記第２の回転角の制御装置であり、受信局の位置の候補の各各に対応した前記第２の回転角を格納する第２の回転角データ記憶手段と、受信局の位置に基づいて、前記第２の回転角データ記憶手段から第２の回転角を取得する第２の回転角決定手段と、前記第２の回転角決定手段で決定された第２の回転角を前記複数の送信局へ送信する送信手段と、を備えたことを特徴とする。
【発明の効果】
【００１６】
本発明によれば、複数の送信局が連携したＭＩＭＯ送信を行う無線通信システムにおいて、同一送信局における送信アンテナ間の相関を調整すること、及び、受信局における送信局間の受信電力差を調整すること、を可能とすることができるという効果が得られる。
【図面の簡単な説明】
【００１７】
【図１】本発明の一実施形態に係る無線通信システムの構成を示す概念図である。
【図２】図１に示す基地局１０の送信構成を示すブロック図である。
【図３】図１に示す基地局２０の送信構成を示すブロック図である。
【図４】図１に示す基地局制御装置４０の回転角制御構成を示すブロック図である。
【発明を実施するための形態】
【００１８】
以下、図面を参照し、本発明の実施形態について説明する。
図１は、本発明の一実施形態に係る無線通信システムの構成を示す概念図である。図１において、無線通信システムは、複数（本実施形態では２つとする）の基地局１０，２０と移動局３０と基地局制御装置４０を備える。
【００１９】
基地局１０は、複数（本実施形態では２つとする）の送信アンテナＴｘ１，Ｔｘ２を有する。基地局２０は、複数（本実施形態では２つとする）の送信アンテナＴｘ３，Ｔｘ４を有する。移動局３０は、複数（本実施形態では４つとする）の受信アンテナＲｘ１，Ｒｘ２，Ｒｘ３，Ｒｘ４を有する。
【００２０】
本無線通信システムでは、２つの基地局１０，２０が連携したＭＩＭＯ送信を行う。このＭＩＭＯ送信では、基地局１０，２０の合計４本の送信アンテナＴｘ１，Ｔｘ２，Ｔｘ３，Ｔｘ４を使用し、４つの信号を各送信アンテナに分けて同一時間に同一周波数で送信する。４本の送信アンテナＴｘ１，Ｔｘ２，Ｔｘ３，Ｔｘ４からそれぞれ送信された信号は、伝搬路上で混合されて移動局３０に到達する。移動局３０は、その混合信号を４つの受信アンテナＲｘ１，Ｒｘ２，Ｒｘ３，Ｒｘ４でそれぞれに受信し、その４つの受信信号から、送信アンテナＴｘ１，Ｔｘ２，Ｔｘ３，Ｔｘ４からそれぞれ送信された信号を分離する。
【００２１】
基地局制御装置４０は、移動局３０へ送信する送信データを、２つの基地局１０，２０に対して共通に供給する。これにより、図１に例示されるように、４つのビット「ａｂｃｄ」からなる送信データは、基地局制御装置４０から基地局１０，２０の両方に対して送られる。
【００２２】
基地局制御装置４０は、第１の回転角θ２と第２の回転角θ４を基地局１０，２０に対して指定する。第１の回転角θ２は、基地局１０，２０に対して個別に指定される。第２の回転角θ４は、基地局１０，２０に対して共通に指定される。
【００２３】
移動局３０は、フィードバック信号を基地局制御装置４０へ送る。フィードバック信号は、基地局１０，２０のいずれか、または両方を経由して基地局制御装置４０へ送られる。
【００２４】
図２は、図１に示す基地局１０の送信構成を示すブロック図である。図２において、誤り訂正符号器２は、基地局制御装置４０から受け取った送信データを誤り訂正符号化する。変調器３は、その誤り訂正符号化データのビット列を変調シンボルにマッピングする。変調方式としては、例えば、ＱＰＳＫ、１６ＱＡＭなどが挙げられる。
【００２５】
変調器３から出力後の変調シンボルのビット列は、直並列変換器４により並列信号ｓ１，ｓ２，ｓ３，ｓ４に変換される。並列信号ｓ１，ｓ２，ｓ３，ｓ４は回転符号乗算器５に入力される。回転符号乗算器５は、並列信号ｓ１，ｓ２，ｓ３，ｓ４に回転直交符号を乗算する。この乗算において、回転符号乗算器５は、基地局制御装置４０から受け取った第１の回転角θ２と第２の回転角θ４を使用する。第１の回転角θ２は、基地局個別に指定されたものである。第２の回転角θ４は、基地局共通に指定されたものである。回転符号乗算器５は、その乗算結果である４つの拡散多重信号の内から、自局分の拡散多重信号ｔ１，ｔ２を出力する。
【００２６】
拡散多重信号ｔ１は、送信アンテナＴｘ１に対応する送信部６を介して送信アンテナＴｘ１から無線送信される。拡散多重信号ｔ２は、送信アンテナＴｘ２に対応する送信部６を介して送信アンテナＴｘ２から無線送信される。これにより、２つの拡散多重信号ｔ１，ｔ２は、２つの送信アンテナＴｘ１，Ｔｘ２に分けて同時に同じ周波数で送信される。
【００２７】
図３は、図１に示す基地局２０の送信構成を示すブロック図である。図３において、図２の基地局１０の各部に対応する部分には同一の符号を付している。基地局２０では、基地局制御装置４０から受け取った基地局１０と共通の送信データに対して、基地局１０と同様にして４つの並列信号ｓ１，ｓ２，ｓ３，ｓ４を生成する。この４つの並列信号ｓ１，ｓ２，ｓ３，ｓ４は、基地局１０と同じものになる。
【００２８】
回転符号乗算器５は、並列信号ｓ１，ｓ２，ｓ３，ｓ４に回転直交符号を乗算する。この乗算において、回転符号乗算器５は、基地局制御装置４０から受け取った第１の回転角θ２と第２の回転角θ４を使用する。第１の回転角θ２は、基地局個別に指定されたものである。第２の回転角θ４は、基地局共通に指定されたものである。回転符号乗算器５は、その乗算結果である４つの拡散多重信号の内から、自局分の拡散多重信号ｔ３，ｔ４を出力する。
【００２９】
拡散多重信号ｔ３は、送信アンテナＴｘ３に対応する送信部６を介して送信アンテナＴｘ３から無線送信される。拡散多重信号ｔ４は、送信アンテナＴｘ４に対応する送信部６を介して送信アンテナＴｘ４から無線送信される。これにより、２つの拡散多重信号ｔ３，ｔ４は、２つの送信アンテナＴｘ３，Ｔｘ４に分けて基地局１０と同時に基地局１０と同じ周波数で送信される。
【００３０】
ここで、本実施形態に係る回転直交符号を説明する。回転直交符号は、各基地局１０，２０に共通である。回転直交符号Ｃ４は、（１）式で表される。
【００３１】
【数１】
2010219662.tif 000003
【００３２】
（１）式において、第１の回転角θ２と第２の回転角θ４は調整パラメータである。第１の回転角θ２は、同一基地局（送信局）における送信アンテナ間の相関を調整するための調整パラメータである。第２の回転角θ４は、移動局３０（受信局）における基地局（送信局）間の受信電力差を調整するための調整パラメータである。
【００３３】
本実施形態に係る回転符号乗算器５は、各基地局１０，２０に共通であり、（１）式の回転直交符号Ｃ４を用いて（２）式の行列演算を行う。
【００３４】
【数２】
2010219662.tif 000004
【００３５】
基地局１０の回転符号乗算器５は、（２）式の行列演算の結果である４つの拡散多重信号ｔ１，ｔ２，ｔ３，ｔ４の内から、自局分の拡散多重信号ｔ１，ｔ２を出力する。基地局２０の回転符号乗算器５は、（２）式の行列演算の結果である４つの拡散多重信号ｔ１，ｔ２，ｔ３，ｔ４の内から、自局分の拡散多重信号ｔ３，ｔ４を出力する。
【００３６】
（２）式において、第１の回転角θ２は、同一基地局における送信アンテナ間の相関を調整するための調整パラメータである。第２の回転角θ４は、移動局３０における基地局間の受信電力差を調整するための調整パラメータである。同一基地局における送信アンテナ間の相関が低くなるように、第１の回転角θ２が設定されることによって、同一基地局における送信アンテナ間の相関が高いことに起因する通信特性の劣化を防止することができる。移動局における基地局間の受信電力差が小さくなるように、第２の回転角θ４が設定されることによって、移動局において基地局間の受信電力差が大きいことに起因する通信特性の劣化を防止することができる。
【００３７】
図４は、図１に示す基地局制御装置４０の回転角制御構成を示すブロック図である。図４において、基地局制御装置４０は、第１の回転角データ記憶部４１と第１の回転角決定部４２と第２の回転角データ記憶部４３と第２の回転角決定部４４を有する。
【００３８】
［第１の回転角θ２の制御方法］
第１の回転角データ記憶部４１は、同一基地局（送信局）における送信アンテナ間の周波数応答の候補の各各に対応した第１の回転角θ２を格納する。本実施形態では、基地局１０の送信アンテナＴｘ１，Ｔｘ２間の周波数応答の候補の各各に対応した第１の回転角θ２と、基地局２０の送信アンテナＴｘ３，Ｔｘ４間の周波数応答の候補の各各に対応した第１の回転角θ２とを第１の回転角データ記憶部４１に格納する。
【００３９】
送信アンテナ間の周波数応答の各候補に対応した第１の回転角θ２は、シミュレーション又は実際の測定によって事前に求める。ある「送信アンテナ間の周波数応答の候補」に対応する第１の回転角θ２には、該送信アンテナ間の周波数応答の状況下において、同一基地局における送信アンテナ間の相関を低くする方向に変化させる値を採用する。この採用の判断には、送信アンテナ間の周波数応答と送信シンボル候補信号を乗算して生成されるシンボルレプリカ同士のシンボル間距離を利用することができる。これは、送信アンテナ間の相関が高いとシンボルレプリカ同士のシンボル間距離が短くなる傾向があり、逆に、送信アンテナ間の相関が低いとシンボルレプリカ同士のシンボル間距離が長くなる傾向があることによる。このため、シンボルレプリカ同士のシンボル間距離が長くなる方向に変化させる第１の回転角θ２を採用する。これにより、送信側での回転直交符号を用いた拡散多重において第１の回転角θ２の更新により拡散多重信号における重み付けが変更され、送信アンテナ間の相関が低くなるように変化させることができる。この結果として、シンボルレプリカ同士のシンボル間距離が長くなる方向に変化し、受信特性の改善効果が期待できるようになる。
【００４０】
第１の回転角データ記憶部４１には、シミュレーション又は実際の測定によって求められた第１の回転角θ２を、その対応する送信アンテナ間の周波数応答の候補に関連付けて格納しておく。
【００４１】
第１の回転角決定部４２は、移動局３０（受信局）で測定された第１の回転角決定対象の基地局（送信局）に関する送信アンテナ間の周波数応答に基づいて、第１の回転角データ記憶部４１から第１の回転角θ２を取得する。移動局３０から送られるフィードバック信号は、基地局１０の送信アンテナＴｘ１，Ｔｘ２間の周波数応答の測定値と、基地局２０の送信アンテナＴｘ３，Ｔｘ４間の周波数応答の測定値とを含む。第１の回転角決定部４２は、移動局３０から受け取ったフィードバック信号に含まれる基地局１０の送信アンテナＴｘ１，Ｔｘ２間の周波数応答の測定値に基づいて、第１の回転角データ記憶部４１から、基地局１０用の第１の回転角θ２を取得する。第１の回転角決定部４２は、移動局３０から受け取ったフィードバック信号に含まれる基地局２０の送信アンテナＴｘ３，Ｔｘ４間の周波数応答の測定値に基づいて、第１の回転角データ記憶部４１から、基地局２０用の第１の回転角θ２を取得する。
【００４２】
第１の回転角決定部４２は、基地局１０用の第１の回転角θ２を基地局１０へ送信する。第１の回転角決定部４２は、基地局２０用の第１の回転角θ２を基地局２０へ送信する。これにより、各基地局１０，２０において、それぞれ受信した第１の回転角θ２が回転符号乗算器５に供給される。
【００４３】
［第２の回転角θ４の制御方法］
第２の回転角データ記憶部４３は、移動局３０（受信局）における基地局（送信局）間の受信電力差の候補の各各に対応した第２の回転角θ４を格納する。本実施形態では、移動局３０における基地局１０，２０間の受信電力差の候補の各各に対応した第２の回転角θ４を第２の回転角データ記憶部４３に格納する。
【００４４】
移動局３０における基地局１０，２０間の受信電力差の各候補に対応した第２の回転角θ４は、シミュレーション又は実際の測定によって事前に求める。ある「基地局１０，２０間の受信電力差の候補」に対応する第２の回転角θ４には、該受信電力差の状況下において、基地局１０，２０間の受信電力差を小さくする方向に変化させる値を採用する。これにより、送信側での回転直交符号を用いた拡散多重において第２の回転角θ４の更新により拡散多重信号における重み付けが変更され、基地局１０，２０間の受信電力差が小さくなるように変化させることができる。この結果として、受信特性の改善効果が期待できるようになる。
【００４５】
第２の回転角データ記憶部４３には、シミュレーション又は実際の測定によって求められた第２の回転角θ４を、その対応する受信電力差の候補に関連付けて格納しておく。
【００４６】
第２の回転角決定部４４は、移動局３０（受信局）で測定された基地局（送信局）間の受信電力差に基づいて、第２の回転角データ記憶部４３から第２の回転角θ４を取得する。移動局３０から送られるフィードバック信号は、基地局１０，２０間の受信電力差の測定値を含む。第２の回転角決定部４４は、移動局３０から受け取ったフィードバック信号に含まれる基地局１０，２０間の受信電力差の測定値に基づいて、第２の回転角データ記憶部４３から、基地局１０，２０共通の第２の回転角θ４を取得する。
【００４７】
第２の回転角決定部４４は、基地局１０，２０共通の第２の回転角θ４を基地局１０，２０の両方へ送信する。これにより、各基地局１０，２０において、それぞれ受信した基地局１０，２０共通の第２の回転角θ４が回転符号乗算器５に供給される。
【００４８】
上述したように本実施形態によれば、第１の回転角θ２と第２の回転角θ４を調整パラメータとして有する回転直交符号によって送信データを拡散多重することにより、第１の回転角θ２の操作によって同一送信局における送信アンテナ間の相関を調整することができるようになり、第２の回転角θ４の操作によって受信局における送信局間の受信電力差を調整することができるようになる。これにより、複数の送信局が連携したＭＩＭＯ送信を行う無線通信システムにおいて、通信特性の改善効果が期待できる。
【００４９】
以上、本発明の実施形態について図面を参照して詳述してきたが、具体的な構成はこの実施形態に限られるものではなく、本発明の要旨を逸脱しない範囲の設計変更等も含まれる。
例えば、第１の回転角θ２の制御方法、第２の回転角θ４の制御方法については、上述の実施形態に限定されるものではない。以下、他の実施形態を説明する。
【００５０】
［第１の回転角θ２の制御方法の他の実施形態］
上述の実施形態では、送信アンテナ間の周波数応答を利用したが、本実施形態では、送信アンテナ間の距離と変調方式と符号化率の組合せを利用する。なお、基地局制御装置４０の回転角制御構成は図４と同様であるので、ここでは図４を参照して説明する。
【００５１】
第１の回転角データ記憶部４１は、同一基地局（送信局）における送信アンテナ間の距離と変調方式と符号化率の組合せの候補の各各に対応した第１の回転角θ２を格納する。本実施形態では、基地局１０の送信アンテナＴｘ１，Ｔｘ２間の距離（固定値）と変調方式と符号化率の組合せの候補の各各に対応した第１の回転角θ２と、基地局２０の送信アンテナＴｘ３，Ｔｘ４間の距離（固定値）と変調方式と符号化率の組合せの候補の各各に対応した第１の回転角θ２とを第１の回転角データ記憶部４１に格納する。
【００５２】
送信アンテナ間の距離と変調方式と符号化率の組合せの各候補に対応した第１の回転角θ２は、シミュレーション又は実際の測定によって事前に求める。このときの第１の回転角θ２の採用の基準は、上述の実施形態と同様である。第１の回転角データ記憶部４１には、シミュレーション又は実際の測定によって求められた第１の回転角θ２を、その対応する送信アンテナ間の周波数応答の候補に関連付けて格納しておく。
【００５３】
第１の回転角決定部４２は、第１の回転角決定対象の基地局（送信局）に関する送信アンテナ間の距離と変調方式と符号化率に基づいて、第１の回転角データ記憶部４１から第１の回転角θ２を取得する。送信アンテナ間の距離は、基地局１０，２０ごとに定められた値であり、事前に保持しておく。移動局３０から送られるフィードバック信号は、基地局１０の変調方式と符号化率を示す情報と、基地局２０の変調方式と符号化率を示す情報とを含む。第１の回転角決定部４２は、移動局３０から受け取ったフィードバック信号に含まれる基地局１０の変調方式と符号化率を示す情報及び基地局１０の送信アンテナ間の距離の所定値に基づいて、第１の回転角データ記憶部４１から、基地局１０用の第１の回転角θ２を取得する。第１の回転角決定部４２は、移動局３０から受け取ったフィードバック信号に含まれる基地局２０の変調方式と符号化率を示す情報及び基地局２０の送信アンテナ間の距離の所定値に基づいて、第１の回転角データ記憶部４１から、基地局２０用の第１の回転角θ２を取得する。
【００５４】
第１の回転角決定部４２は、基地局１０用の第１の回転角θ２を基地局１０へ送信する。第１の回転角決定部４２は、基地局２０用の第１の回転角θ２を基地局２０へ送信する。これにより、各基地局１０，２０において、それぞれ受信した第１の回転角θ２が回転符号乗算器５に供給される。
【００５５】
［第２の回転角θ４の制御方法の他の実施形態］
上述の実施形態では、基地局（送信局）間の受信電力差を利用したが、本実施形態では、受信局の位置を利用する。なお、基地局制御装置４０の回転角制御構成は図４と同様であるので、ここでは図４を参照して説明する。
【００５６】
第２の回転角データ記憶部４３は、移動局３０（受信局）の位置の候補の各各に対応した第２の回転角θ４を格納する。本実施形態では、各基地局１０，２０の通信エリアにおける移動局３０の位置の候補の各各に対応した第２の回転角θ４を第２の回転角データ記憶部４３に格納する。
【００５７】
各基地局１０，２０の通信エリアにおける移動局３０の位置の各候補に対応した第２の回転角θ４は、シミュレーション又は実際の測定によって事前に求める。このときの第２の回転角θ４の採用の基準は、上述の実施形態と同様である。第２の回転角データ記憶部４３には、シミュレーション又は実際の測定によって求められた第２の回転角θ４を、その対応する受信電力差の候補に関連付けて格納しておく。
【００５８】
第２の回転角決定部４４は、移動局３０（受信局）の位置に基づいて、第２の回転角データ記憶部４３から第２の回転角θ４を取得する。移動局３０から送られるフィードバック信号は、移動局３０の位置を示す情報を含む。例えば、移動局３０が有するＧＰＳ（Global Positioning System）によって測定された位置の情報である。第２の回転角決定部４４は、移動局３０から受け取ったフィードバック信号に含まれる移動局３０の位置を示す情報に基づいて、第２の回転角データ記憶部４３から、基地局１０，２０共通の第２の回転角θ４を取得する。
【００５９】
第２の回転角決定部４４は、基地局１０，２０共通の第２の回転角θ４を基地局１０，２０の両方へ送信する。これにより、各基地局１０，２０において、それぞれ受信した基地局１０，２０共通の第２の回転角θ４が回転符号乗算器５に供給される。
【符号の説明】
【００６０】
２…誤り訂正符号器、３…変調器、４…直並列変換器、５…回転符号乗算器、６…送信部、１０，２０…基地局、３０…移動局、４０…基地局制御装置、４１…第１の回転角データ記憶部、４２…第１の回転角決定部、４３…第２の回転角データ記憶部、４４…第２の回転角決定部、Ｔｘ１，Ｔｘ２，Ｔｘ３，Ｔｘ４…送信アンテナ、Ｒｘ１，Ｒｘ２，Ｒｘ３，Ｒｘ４…受信アンテナ、θ２…第１の回転角、θ４…第２の回転角、ｔ１，ｔ２，ｔ３，ｔ４…拡散多重信号
【図１】
2010219662.tif 000005
【図２】
2010219662.tif 000006
【図３】
2010219662.tif 000007
【図４】
2010219662.tif 000008